(57)【特許請求の範囲】
【請求項１】
特定利用者に対応したエレベータを含む複数のエレベータを管理する群管理制御装置において、
前記特定利用者に対応したエレベータの乗りかごの荷重計測値を取得する荷重計測値取得手段と、
前記特定利用者に対応したエレベータ以外の各エレベータの乗りかごの乗車可能荷重量を算出する乗車可能荷重量算出手段と、
前記特定利用者の操作によりエレベータ呼びが発生し、前記荷重計測値取得手段で取得された荷重計測値から前記特定利用者に対応したエレベータに人が乗っていると判断すると、前記乗車可能荷重量を算出した乗りかごのうち、前記荷重計測値取得手段で取得された荷重計測値よりも乗車可能荷重量が大きく、且つ、前記特定利用者に対応したエレベータの乗りかごと同方向に乗りかごが進行中の１台のエレベータを、乗り換え用エレベータとして決定する乗り換え用エレベータ決定手段と、
前記特定利用者に対応したエレベータの乗りかご、および前記乗り換え用エレベータの乗りかごの進行方向上にあり、両エレベータの乗りかごから最も近い階を乗り換え階として決定する乗り換え階決定手段と、
前記特定利用者に対応したエレベータの乗りかご、および前記乗り換え用エレベータの乗りかごを、前記乗り換え階に着床させ、前記特定利用者に対応したエレベータの乗りかごが前記乗り換え階に着床後、前記荷重計測値取得手段で取得された荷重計測値が「0」になったと判断すると、前記特定利用者に対応したエレベータのサービスを開始する乗りかご制御手段と
を備えることを特徴とするエレベータの群管理制御装置。
【請求項２】
前記特定利用者に対応したエレベータの乗りかごで登録された行き先登録階の情報を取得する行き先登録階情報取得手段と、
前記取得された、前記乗りかごで登録された行き先登録階の情報を、前記乗り換え用エレベータの乗りかごの行き先階として登録する行き先登録階情報登録手段とをさらに備える
ことを特徴とする請求項１に記載のエレベータの群管理制御装置。
【請求項３】
前記特定利用者に対応したエレベータの乗りかごが前記乗り換え階に着床した後、前記乗り換え用エレベータに乗り換えを促す情報を出力する出力手段をさらに備える
ことを特徴とする請求項１または２に記載のエレベータの群管理制御装置。
【請求項４】
前記特定利用者に対応したエレベータは、乗場に設置された特定利用者専用釦または保守管理のための呼び戻し釦で指定されるエレベータである
ことを特徴とする請求項１〜３いずれか１項に記載のエレベータの群管理制御装置。
【請求項５】
特定利用者に対応したエレベータを含む複数のエレベータを管理する群管理制御装置が、
前記特定利用者に対応したエレベータの乗りかごの荷重計測値を取得する荷重計測値取得ステップと、
前記特定利用者に対応したエレベータ以外の各エレベータの乗りかごの乗車可能荷重量を算出する乗車可能荷重量算出ステップと、
前記特定利用者の操作によりエレベータ呼びが発生し、前記荷重計測値取得ステップで取得された荷重計測値から前記特定利用者に対応したエレベータに人が乗っていると判断すると、前記乗車可能荷重量を算出した乗りかごのうち、前記荷重計測値取得ステップで取得された荷重計測値よりも乗車可能荷重量が大きく、且つ、前記特定利用者に対応したエレベータの乗りかごと同方向に乗りかごが進行中の１台のエレベータを、乗り換え用エレベータとして決定する乗り換え用エレベータ決定ステップと、
前記特定利用者に対応したエレベータの乗りかご、および前記乗り換え用エレベータの乗りかごの進行方向上にあり、両エレベータの乗りかごから最も近い階を乗り換え階として決定する乗り換え階決定ステップと、
前記特定利用者に対応したエレベータの乗りかご、および前記乗り換え用エレベータの乗りかごを、前記乗り換え階に着床させ、前記特定利用者に対応したエレベータの乗りかごが前記乗り換え階に着床後、前記荷重計測値取得ステップで取得された荷重計測値が「0」になったと判断すると、前記特定利用者に対応したエレベータのサービスを開始する乗りかご制御ステップと
を有することを特徴とするエレベータの群管理制御方法。
【発明の詳細な説明】
【技術分野】
【０００１】
本発明の実施形態は、エレベータの群管理制御装置およびエレベータの群管理制御方法に関する。
【背景技術】
【０００２】
従来、建物内に設置された複数のエレベータの中に、車椅子利用者等の特定利用者用の乗場呼びボタンによる専用運転機能を備えたエレベータが含まれている場合がある。
【０００３】
このような当該専用運転機能を備えたエレベータを特定利用者が利用しようとして乗場呼びボタンを操作しても、当該エレベータの乗りかごの利用者の操作により既にかご呼び登録が発生している場合にはこちらのサービスが優先され、特定利用者が乗場で長時間待つ可能性がある。
【０００４】
これを解決するため、専用運転機能を備えたエレベータ以外の他のエレベータを乗り換え用エレベータとして設定し、専用運転機能を有するエレベータの乗りかご内の利用者を乗り換え用エレベータの乗りかごに誘導し、専用運転機能を有するエレベータの乗りかごを能動的に空かごにし、特定利用者の待ち時間を短縮させる方法がある。
【先行技術文献】
【特許文献】
【０００５】
【特許文献１】特開平５−５１１７６号公報
【発明の概要】
【発明が解決しようとする課題】
【０００６】
しかし、上述したような方法で専用運転機能を有する乗りかご内の利用者を乗り換え用エレベータの乗りかごに誘導しようとしても、乗り換え用エレベータの乗りかごに利用者が乗り切れない場合があり、このような場合に乗り換え客に対するエレベータの利便性が著しく低下するという問題があった。
【０００７】
本発明は上記事情に鑑みてなされたものであり、所定のエレベータの乗りかご内の利用者を、他の乗り換え用エレベータの乗りかごに効率よく誘導することが可能な、エレベータの群管理制御装置およびエレベータの群管理制御方法を提供することを目的とする。
【課題を解決するための手段】
【０００８】
上記目的を達成するための実施形態によればエレベータの群管理制御装置は、荷重計測値取得手段と乗り換え用エレベータ決定手段と乗り換え階決定手段と乗りかご制御手段とを備える。荷重計測値取得手段は、特定利用者に対応したエレベータの乗りかごの荷重計測値を取得する。乗り換え用エレベータ決定手段は、前記荷重計測値よりも乗車可能荷重量が大きく、且つ特定利用者に対応したエレベータの乗りかごと同方向に進行中の１台の乗り換え用エレベータを決定する。乗り換え階決定手段は、特定利用者に対応したエレベータおよび乗り換え用エレベータの乗りかごの進行方向上にあり、両エレベータの乗りかごから最も近い乗り換え階を決定する。乗りかご制御手段は、特定利用者に対応したエレベータの乗りかご、および乗り換え用エレベータの乗りかごを、前記乗り換え階に着床させ、特定利用者に対応したエレベータの乗りかごが乗り換え階に着床後、荷重計測値取得手段で取得された荷重計測値が「0」になったと判断すると、特定利用者に対応したエレベータのサービスを開始する。
【図面の簡単な説明】
【０００９】
【図１】第１実施形態および第２実施形態による群管理制御装置を利用したエレベータシステムの構成を示す全体図。
【図２】第１実施形態〜第３実施形態による群管理制御装置に接続されたエレベータの構成を示すブロック図。
【図３】第１実施形態による群管理制御装置の動作を示すフローチャート。
【図４】第１実施形態による群管理制御装置の制御により、特定利用者に対応した乗りかごのかご内表示装置に表示された乗り換え案内情報の一例を示す画面構成図。
【図５】第１実施形態による群管理制御装置の制御により、乗り換え用の乗りかごのかご内表示装置に表示された乗車案内情報の一例を示す画面構成図。
【図６】第１実施形態による群管理制御装置の制御により、乗場表示装置に表示された乗り換え案内情報の一例を示す画面構成図。
【図７】第２実施形態による群管理制御装置の動作を示すフローチャート。
【図８】第３実施形態による群管理制御装置を利用したエレベータシステムの構成を示す全体図。
【図９】第３実施形態による群管理制御装置の動作を示すフローチャート。
【発明を実施するための形態】
【００１０】
《第１実施形態》
〈第１実施形態による群管理制御装置を利用したエレベータシステムの構成〉
本発明の一実施形態による群管理制御装置を利用したエレベータシステム１Ａの構成について、図１参照して説明する。
【００１１】
本実施形態によるエレベータシステム１Ａは、例えばデパート等に備えられた複数のエレベータを群管理するシステムであり、エレベータ乗場に設置された一般乗場呼び釦１１、車椅子利用者や優先利用者等の特定利用者用の専用乗場呼び釦１２、乗場スピーカー１３、乗場表示装置１４と、一般乗場呼び釦１１および専用乗場呼び釦１２に接続された群管理制御装置２と、群管理制御装置２に接続されるとともに乗場スピーカー１３および乗場表示装置１４に接続された管理対象の６台の第１エレベータ３−１〜第６エレベータ３−６とを備えている。管理対象の第１エレベータ３−１〜第６エレベータ３−６のうち１台（本実施形態においては「第１エレベータ３−１」とする）が、車椅子利用者等の特定利用者に対応した大型の乗りかごを有するエレベータである。本実施形態においては建物内に６台のエレベータが設置されている場合について説明するが、複数であればこの台数には限定されない。
【００１２】
群管理制御装置２は、第１入力部２１と、第１制御部２２と、第１記憶部２３と、第１通信部２４とを有する。
【００１３】
第１入力部２１は、一般乗場呼び釦１１または専用乗場呼び釦１２が操作されたときに発信される呼び登録信号を受信する。
【００１４】
第１制御部２２は、一般用乗場呼び釦１１が操作されたときに発信される乗場呼び釦信号に基づいて、当該乗場にいずれかのエレベータを着床させるように制御するための割り当て情報を生成する。
【００１５】
また、専用乗場呼び釦１２が操作されたときに発信される乗場呼び釦信号に基づいて、当該乗場に特定利用者に対応した第１エレベータ３−１の乗りかご３０−１を着床させるように制御するための割り当て情報を生成する。その際、第１通信部２４を介して第１エレベータ３−１の乗りかごの荷重計測値を取得して第１エレベータ３−１の乗りかごに人が乗っているか否かを判断し、乗っていると判断したときには乗りかご内の人の乗り換え用として、他のエレベータの乗りかごを割り当てる割り当て情報を生成する。
【００１６】
第１記憶部２３は、第１制御部２２で取得された乗場呼び釦信号による乗場呼び登録情報、各エレベータ３−１〜３−６から取得されたかご行き先登録階情報、第１制御部２２で生成された割り当て情報等を記憶する。
【００１７】
第１通信部２４は、第１エレベータ３−１〜第６エレベータ３−６との通信を行う。
【００１８】
第１エレベータ３−１〜第６エレベータ３−６の構成を、図２に示す。
【００１９】
第１エレベータ３−１〜第６エレベータ３−６はそれぞれ、乗りかご３０−１〜３０−６内に設置されたかご内スピーカー３１−１〜３１−６、かご内表示装置３２−１〜３２−６、かご内行き先登録釦３３−１〜３３−６、荷重計測装置３４−１〜３４−６と、エレベータ制御装置３５−１〜３５−６とを有する。
【００２０】
エレベータ制御装置３５−１〜３５−６は、第２通信部３５１−１〜３５１−６と、第２入力部３５２−１〜３５２−６と、第２記憶部３５３−１〜３５３−６と、第２制御部３５４−１〜３５４−６と、第３通信部３５５−１〜３５５−６とを有する。
【００２１】
第２通信部３５１−１〜３５１−６は、群管理制御装置２との通信を行う。
【００２２】
第２入力部３５２−１〜３５２−６は、かご内行き先登録釦３３−１〜３３−６が操作されたときに発信される行き先登録信号を受信する。また、荷重計測装置３４−１〜３４−６から送信される荷重計測値を受信する。
【００２３】
第２記憶部３５３−１〜３５３−６は、第２入力部３５２−１〜３５２−６から入力されたかご内行き先登録釦信号によるかご行き先登録階情報等を第２制御部３５４−１〜３５４−６を介して取得し記憶する。
【００２４】
第２制御部３５４−１〜３５４−６は、群管理制御装置２から受信した制御信号に基づいて第３通信部３５５−１〜３５５−６を介してかご内スピーカー３１−１〜３１−６、かご内表示装置３２−１〜３２−６、乗場スピーカー１３、乗場表示装置１４等への出力制御、および乗りかご３０−１〜３０−６の昇降制御を行う。また、第２記憶部３５３−１〜３５３−６に記憶されたかご行き先登録階情報に基づいて、乗りかご３０−１〜３０−６の昇降制御を行う。
【００２５】
第３通信部３５５−１〜３５５−６は、かご内スピーカー３１−１〜３１−６、かご内表示装置３２−１〜３２−６、乗場スピーカー１３、乗場表示装置１４、および乗りかご３０−１〜３０−６を昇降させるための巻上げ機（図示せず）等との通信を行う。
【００２６】
〈第１実施形態による群管理制御装置を利用したエレベータシステムの動作〉
次に、本実施形態によるエレベータシステム１Ａの動作について説明する。
【００２７】
本実施形態において、利用者によりいずれかの階の一般乗場呼び釦１１が操作されると、一般乗場呼び登録釦信号が生成され、群管理制御装置２に送信される。群管理制御装置２では、一般乗場呼び登録釦信号が第１入力部２１から入力された後、第１制御部２２に送出され、一般乗場呼び登録情報として第２記憶部２３に記憶される。
【００２８】
第１制御部２２では、取得された一般乗場呼び釦信号に基づいて、当該乗場にいずれかのエレベータを着床させるように制御するための割り当て情報が生成される。そして、生成された割り当て情報が第１通信部２４を介して該当するエレベータ３のエレベータ制御装置３５に送信される。
【００２９】
割り当て情報が受信されたエレベータ３のエレベータ制御装置３５では、第２通信部３５１から割り当て情報が取得され、当該割り当て情報に基づいて対応する乗りかご３０内の装置や乗場の装置の動作を制御する制御信号が第３通信部３５５を介して送信されるとともに、乗りかご３０の昇降が制御される。また、第２制御部３５４で取得された割り当て情報は、第２記憶部３５３に記憶される。
【００３０】
また、特定利用者によりいずれかの階の専用乗場呼び釦１２が操作されると、専用乗場呼び釦信号が生成され、群管理制御装置２に送信される。群管理制御装置２では、第１入力部２１から入力された専用乗場呼び釦信号が第１制御部２２に送出され、専用乗場呼び登録情報として第１記憶部２３に記憶される。群管理制御装置２で専用乗場呼び釦信号が取得されたときの処理について、図３のフローチャートを参照して説明する。
【００３１】
第１制御部２２では、特定利用者の操作による専用乗場呼び釦信号が取得されると（Ｓ１の「YES」）、この信号に基づいて、当該乗場に特定利用者に対応した乗りかご３０−１を着床させるように制御するための割り当て情報が生成される（Ｓ２）。
【００３２】
次に第１制御部２２において、第１エレベータ３−１に対し、当該乗りかご３０−１の荷重計測値の取得が要求される。第１エレベータ３−１では、要求に基づいて乗りかご３０−１の荷重計測装置３４−１で計測された荷重計測値が第２入力部３５２−１を介して第２制御部３５４−１で取得され、第２通信部３５１−１から群管理制御装置２に送信される。
【００３３】
群管理制御装置２の第１制御部２２では、取得された荷重計測装置３４−１の荷重計測値が「０」であれば当該乗りかご３０−１に人が乗っていないと判断され、荷重計測値が「０」ではなければ、乗りかご３０−１に人が乗っていると判断される（Ｓ３）。
【００３４】
ここで乗りかご３０−１に人が乗っていないと判断されると（Ｓ３の「NO」）、特定利用者用のサービスが開始され、専用乗場呼び釦操作階の情報が該当する第１エレベータ３−１に送信される。第１エレベータ３−１では、取得された専用乗場呼び釦操作階の情報が、行き先登録階情報として第２記憶部３５３−１に記憶される。そして、第１エレベータ３−１の乗りかご３０−１が当該行き先登録階に着床するように制御され、その後特定利用者に対する専用運転が実行される（Ｓ４）。
【００３５】
またステップＳ３において乗りかご３０−１に人が乗っていると判断されると（Ｓ３の「YES」）、ステップＳ３と同様の処理により乗りかご３０−１以外の全エレベータ３−２〜３−６の乗りかご３０−２〜３０−６の荷重計測値が取得され、これらの乗りかご３０−２〜３０−６の荷重計測値と、予め設定された当該乗りかご３０−２〜３０−６それぞれの法定積載荷重量との差から、各乗りかご３０−２〜３０−６のかご内乗車可能荷重量が算出される（Ｓ５）。
【００３６】
次に、ステップＳ５でかご内乗車可能荷重量を算出した乗りかご３０−２〜３０−６のうち、ステップＳ３で取得された乗りかご３０−１の荷重計測値よりもかご内乗車可能荷重量が大きく、且つ、特定利用者に対応した乗りかご３０−１と同方向に乗りかごが進行中の１台のエレベータが、乗りかご３０−１に乗車している利用者の乗り換え用エレベータとして割り当てられる（Ｓ６）。ここでは、乗り換え用エレベータとして第２エレベータ３−２が割り当てられたものとする。
【００３７】
次に、特定利用者に対応した乗りかご３０−１、および乗り換え用の乗りかご３０−２の進行方向上にあり、両エレベータの乗りかごから最も近い階の情報が算出され乗り換え階として決定される。
【００３８】
次に、決定された乗り換え階の情報が該当する第１エレベータ３−１および第２エレベータ３−２に送信され、これらのエレベータ制御装置３５−１、３５−２の第２制御部３５４−１、３５４−２により第２記憶部３５３−１、３５３−２に行き先登録階情報として記憶される。そして、第１エレベータ３−１の乗りかご３０−１および第２エレベータ３−２の乗りかご３０−２が当該同一の行き先登録階に着床するように、第２制御部３５４−１、３５４−２により移動される（Ｓ７）。
【００３９】
次に、ステップＳ７の処理により第１エレベータ３−１の乗りかご３０−１が行き先登録階で着床し停止すると、エレベータ制御装置３５−１を介して群管理制御装置２に通知される。そして、乗りかご３０−１内の利用者に対する乗場への移動を促すアナウンス、指定する第２エレベータ３−２への乗り換えを促すアナウンス、および乗りかご３０−１への乗車不可を指示するアナウンスを出力するために、第１制御部２２から第１エレベータ３−１へ乗り換え案内情報が送信される（Ｓ８）。
【００４０】
第１エレベータ３−１では、第２制御部３５４−１の制御により乗りかご３０−１のかご内スピーカー３１−１から当該乗り換え案内情報が出力される。
【００４１】
ここで、乗り換え案内情報として同内容を示す表示情報を群管理制御装置２からエレベータ制御装置３５−１に送信し、かご内表示装置３２−１に表示されるようにしてもよい。かご内表示装置３２−１に表示された乗り換え案内情報の画面構成の一例を、図４に示す。図４では、乗り換え案内情報として、テキスト情報「こちらのエレベータは現在利用できません。こちらのエレベータを必要とされているお客様がおります。別のエレベータをご用意致しましたので、右隣のエレベータ（２号機）へのお乗り換えにご協力をお願い致します。」とともに、乗り換え先のエレベータを図示した情報が示されている。
【００４２】
次に、第１エレベータ３−１に対し、当該乗りかご３０−１の荷重計測値の取得が要求される。第１エレベータ３−１では、要求に基づいて乗りかご３０−１の荷重計測装置３４−１で計測された荷重計測値がエレベータ制御装置３５−１の第２入力部３５２−１を介して第２制御部３５４−１で取得され、第２通信部３５１−１から群管理制御装置２に送信される。
【００４３】
群管理制御装置２の第１制御部２２において、乗りかご３０−１内のすべての利用者が乗場へ移動したことにより、取得された荷重計測装置３４−１の荷重計測値が「０」になったと判断されると（Ｓ９の「YES」）、特定利用者専用のエレベータのサービスが開始され、専用乗場呼び釦操作階の情報が第１エレベータ３−１に送信される。第１エレベータ３−１では、取得された専用乗場呼び釦操作階の情報が、エレベータ制御装置３５−１の第２制御部３５４−１により第２記憶部３５３−１に行き先登録階情報として記憶される。そして、第１エレベータ３−１の乗りかご３０−１が当該行き先登録階に着床するように制御され、特定利用者に対する専用運転が実行される（Ｓ１０）。
【００４４】
ステップＳ９において、荷重計測値が「０」になっておらず乗りかご３０−１内に未だ利用者がいると判断されたとき（Ｓ９の「NO」）は、荷重計測値「０」になるまで監視が継続される。
【００４５】
また、ステップＳ７の処理により第２エレベータ３−２の乗りかご３０−２が行き先登録階で着床し停止すると、エレベータ制御装置３５−２を介して群管理制御装置２に通知される。そして、乗りかご３０−２内の利用者に対して当該乗りかご３０−２内に乗り換え客が乗車することを案内するアナウンスを出力するために、第１制御部２２から第２エレベータ３−２へ乗車案内情報が送信される（Ｓ１１）。
【００４６】
第２エレベータ３−２では、第２制御部３５４−２の制御により乗りかご３０−２のかご内スピーカー３１−２から当該乗車案内情報が出力される。
【００４７】
ここで、乗車案内情報として同内容を示す表示情報を群管理制御装置２からエレベータ制御装置３５−２に送信し、かご内表示装置３２−２に表示されるようにしてもよい。かご内表示装置３２−１に表示された乗車案内情報の画面構成の一例を、図５に示す。図５では、乗車案内情報として、テキスト情報「他のお客様がご乗車されます。こちらのエレベータにご乗車になるお客様がおります。少し詰めてお客様のご乗車にご協力をお願いいたします。」が示されている。
【００４８】
また、乗りかご３０−２が行き先登録階で着床し停止すると、エレベータ制御装置３５−２を介して群管理制御装置２に通知される。そして、乗りかご３０−１内から乗場に移動した利用者に対して所定の乗り換え用の第２エレベータ３−２に乗り換えを案内するアナウンスを出力するために、第１制御部２２から第１エレベータ３−１へ乗り換え案内情報が送信される（Ｓ１２）。
【００４９】
第１エレベータ３−１では、第２制御部３５４−１の制御により乗場の乗場スピーカー１３から当該乗り換え案内情報が出力される。
【００５０】
ここで、乗り換え案内情報として同内容を示す表示情報を群管理制御装置２からエレベータ制御装置３５−１に送信し、乗場表示装置１４に表示されるようにしてもよい。乗場表示装置１４に表示された乗り換え案内情報の画面構成の一例を、図６に示す。図６では、乗り換え案内情報として、テキスト情報「お乗り換えのご案内。１号機にご乗車のお客様へ、お乗換えをご案内致します。左隣のエレベータ（２号機）をご用意致しましたので、２号機前にてお待ちになり、お乗換えください。」とともに、乗り換え先のエレベータを図示した情報が示されている。
【００５１】
その後、乗り換え用エレベータの第２エレベータ３−２において、通常のサービスが開始される（Ｓ１３）。
【００５２】
以上の本実施形態によれば、特定利用者用の専用運転機能を有するエレベータの利用者を、他の乗り換え用エレベータの乗りかごに乗り換えさせる際に、確実にすべての利用者が乗ることが可能な乗りかごを乗り換え用として割り当てることにより、効率良く誘導することができる。
【００５３】
《第２実施形態》
本実施形態によるエレベータシステム１Ｂの構成は、第１実施形態によるエレベータシステム１Ａの構成と同様であるため、詳細な説明は省略する。
【００５４】
本実施形態において特定利用者によりいずれかの階の専用乗車呼び釦１２が操作されたときに群管理制御装置２で実行される処理について、図７のフローチャートを参照して説明する。図７のフローチャートにおいて、ステップＳ１〜Ｓ８の処理は、第１実施形態において説明した図３のフローチャートのステップＳ１〜Ｓ８の処理と同様であるため、詳細な説明は省略する。
【００５５】
ステップＳ８において乗り換え案内情報が送信されたときに、同時に群管理制御装置２から第１エレベータ３−１にかご内行き先登録階削除信号が送信される。
【００５６】
第１エレベータ３−１の第２制御部３５４−１では、かご内行き先登録階削除信号を受信すると、第２記憶部３５３−１に記憶されているかご内行き先登録階の情報が群管理制御装置２に送信され、第２記憶部３５３−１から削除される。
【００５７】
群管理制御装置２では、第１エレベータ３−１から送信されたかご内行き先登録階の情報が第１記憶部２３に記憶される（Ｓ１４）。
【００５８】
またステップＳ９〜Ｓ１２の処理は、第１実施形態において説明したステップＳ９〜Ｓ１２の処理と同様であるため、詳細な説明は省略する。
【００５９】
ステップＳ１２において乗り換え案内情報が送信されたときに、同時に、ステップＳ１４において第１記憶部２３に記憶された第１エレベータ３−１のかご内行き先登録階の情報が、群管理制御装置２から第２エレベータ３−２に送信される。
【００６０】
第２エレベータ３−２では、群管理制御装置２から送信された第１エレベータ３−１のかご内行き先登録階の情報が取得され、第２制御部３５４−２により第２記憶部３５３−２に記憶され、乗り換え用の第２エレベータ３−２の行き先登録階情報として追加登録される（Ｓ１５）。
【００６１】
そして、乗り換え用エレベータの第２エレベータ３−２において、通常のサービスが開始される（Ｓ１３）。
【００６２】
以上の本実施形態によれば、第１実施形態により得られる効果に加え、特定利用者に対応したエレベータの利用者を他のエレベータに乗り換えさせたときに、乗り換え元のエレベータで既に登録されていた行き先登録階情報を、乗り換え後のエレベータにおいて自動で追加登録することにより、さらに利用者にとって利便性の高いサービスを提供することができる。
【００６３】
《第３実施形態》
〈第３実施形態による群管理制御装置を利用したエレベータシステムの構成〉
本実施形態によるエレベータシステム１Ｃは、第１実施形態によるエレベータシステム１Ａの専用乗場呼び釦１２に替えて、各階の乗場に、第１エレベータ３−１〜第６エレベータ３−６にそれぞれ対応した呼び戻し釦１５−１〜１５−６が設置されている他は、第１実施形態によるエレベータシステム１Ａの構成と同様であるため、詳細な説明は省略する。
【００６４】
〈第３実施形態による群管理制御装置を利用したエレベータシステムの動作〉
次に、本実施形態によるエレベータシステム１Ｃの動作について説明する。
【００６５】
本実施形態において保守員によりいずれかの階の保守管理対象のエレベータ（本実施形態においては第３エレベータ３−３とする）に対応する呼び戻し釦１５−３が操作されると、呼び戻し釦信号が生成され、群管理制御装置２に送信される。群管理制御装置２では、第１入力部２１から入力された呼び戻し釦信号が第１制御部２２に送出され、第３エレベータ３−３に関する乗場呼び登録情報として第１記憶部２３に記憶される。群管理制御装置２で呼び戻し釦信号が取得されたときの処理について、図９のフローチャートを参照して説明する。
【００６６】
第１制御部２２では、保守員の操作による呼び戻し釦信号が取得されると（Ｓ２１の「YES」）、この信号に基づいて対応した乗りかご３０−３を当該乗場に着床させるように制御するための割り当て情報が生成される（Ｓ２２）。
【００６７】
次に第１制御部２２において、第３エレベータ３−３に対し、当該乗りかご３０−３の荷重計測値の取得が要求される。第３エレベータ３−３では要求に基づいて、乗りかご３０−３の荷重計測装置３４−３で計測された荷重計測値が第２入力部３５２−３を介して第２制御部３５４−３で取得され、第２通信部３５１−３から群管理制御装置２に送信される。
【００６８】
群管理制御装置２の第１制御部２２では、取得された荷重計測装置３４−３の荷重計測値が「０」であれば当該乗りかご３０−３に人が乗っていないと判断され、荷重計測値が「０」ではなければ、乗りかご３０−３に人が乗っていると判断される。
【００６９】
ここで乗りかご３０−３に人が乗っていないと判断されると（Ｓ２３の「NO」）、呼び戻し釦操作階の情報が該当する第３エレベータ３−３に送信される。第３エレベータ３−３では、取得された専用乗場呼び釦操作階の情報が、行き先登録階情報として第２記憶部３５３−３に記憶される。そして、第３エレベータ３−３の乗りかご３０−３が当該行き先登録階に呼び戻されるように運転され、その後保守員により保守作業が行われる（Ｓ２４）。
【００７０】
またステップＳ２３において乗りかご３０−３に人が乗っていると判断されると（Ｓ２３の「YES」）、ステップＳ２３と同様の処理により乗りかご３０−３以外の全エレベータ３−１、３−２、３−４〜３−６の乗りかご３０−１、３０−２、３０−４〜３０−６の荷重計測値が取得され、これらの乗りかご３０−１、３０−２、３０−４〜３０−６の荷重計測値と、予め設定された当該乗りかご３０−１、３０−２、３０−４〜３０−６それぞれの法定積載荷重量との差から、各乗りかご３０−１、３０−２、３０−４〜３０−６のかご内乗車可能荷重量が算出される（Ｓ２５）。
【００７１】
次に、ステップＳ２５でかご内乗車可能荷重量を算出した乗りかご３０−１、３０−２、３０−４〜３０−６のうち、ステップＳ２３で取得された乗りかご３０−３の荷重計測値よりもかご内乗車可能荷重量が大きく、且つ、呼び戻し対象のエレベータ３−３の乗りかご３０−３と同方向に乗りかごが進行中の１台のエレベータが、乗りかご３０−３に乗車している利用者の乗り換え用エレベータとして割り当てられる（Ｓ２６）。ここでは、乗り換え用エレベータとして第４エレベータ３−４が割り当てられたものとする。
【００７２】
次に、呼び戻し対象の乗りかご３０−３、および乗り換え用の乗りかご３０−４の進行方向上にあり、両エレベータの乗りかごから最も近い階の情報が算出され乗り換え階として決定される。
【００７３】
次に、決定された乗り換え階の情報が該当する第３エレベータ３−３および第４エレベータ３−４に送信され、これらのエレベータ制御装置３５−３、３５−４の第２制御部３５４−３、３５４−４により第２記憶部３５３−３、３５３−４に行き先登録階情報として記憶される。そして、第３エレベータ３−３の乗りかご３０−３および第４エレベータ３−４の乗りかご３０−４が当該同一の行き先登録階に着床するように、第２制御部３５４−３、３５４−４により移動される（Ｓ２７）。
【００７４】
次に、ステップＳ２７の処理により第３エレベータ３−３の乗りかご３０−３が行き先登録階で着床し停止すると、エレベータ制御装置３５−３を介して群管理制御装置２に通知される。そして、乗りかご３０−３内の利用者に対する乗場への移動、指定する第４エレベータ３−４への乗り換え、および乗りかご３０−３への乗車不可を指示する情報を出力するために、第１制御部２２から第３エレベータ３−３へ乗り換え案内情報が送信される（Ｓ２８）。
【００７５】
第３エレベータ３−３では、第２制御部３５４−３の制御により乗りかご３０−３のかご内スピーカー３１−３やかご内表示装置３２−３から当該乗り換え案内情報が出力される。
【００７６】
次に、第３エレベータ３−３に対し、当該乗りかご３０−３の荷重計測値の取得が要求される。第３エレベータ３−３では、要求に基づいて乗りかご３０−３の荷重計測装置３４−３で計測された荷重計測値がエレベータ制御装置３５−３の第２入力部３５２−３を介して第２制御部３５４−３で取得され、第２通信部３５１−３から群管理制御装置２に送信される。
【００７７】
群管理制御装置２の第１制御部２２において、乗りかご３０−３内のすべての利用者が乗場へ移動したことにより、取得された荷重計測装置３４−３の荷重計測値が「０」になったと判断されると（Ｓ２９の「YES」）、呼び戻し釦操作階の情報が第３エレベータ３−３に送信される。第３エレベータ３−３では、取得された呼び戻し釦操作階の情報が、エレベータ制御装置３５−３の第２制御部３５４−３により第２記憶部３５３−３に行き先登録階情報として記憶される。そして、第３エレベータ３−３の乗りかご３０−３が当該行き先登録階に呼び戻されるように運転が実行される（Ｓ３０）。
【００７８】
ステップＳ２９において、荷重計測値が「０」になっておらず乗りかご３０−３内に未だ利用者がいると判断されたとき（Ｓ２９の「NO」）は、荷重計測値「０」になるまで監視が継続される。
【００７９】
また、ステップＳ２７の処理により第４エレベータ３−４の乗りかご３０−４が行き先登録階で着床し停止すると、エレベータ制御装置３５−４を介して群管理制御装置２に通知される。そして、乗りかご３０−４内の利用者に対して当該乗りかご３０−４内に乗り換え客が乗車することを案内する情報を出力するために、第１制御部２２から第４エレベータ３−４へ乗車案内情報が送信される（Ｓ３１）。
【００８０】
第４エレベータ３−４では、第２制御部３５４−４の制御により乗りかご３０−４のかご内スピーカー３１−４やかご内表示装置３２−４から当該乗車案内情報が出力される。
【００８１】
また、乗りかご３０−４が行き先登録階で着床し停止すると、エレベータ制御装置３５−４を介して群管理制御装置２に通知される。そして、乗りかご３０−３内から乗場に移動した利用者に対して所定の乗り換え用の第４エレベータ３−４に乗り換えを案内する情報を出力するために、第１制御部２２から第３エレベータ３−３へ乗り換え案内情報が送信される（Ｓ３２）。
【００８２】
第３エレベータ３−３では、第２制御部３５４−３の制御により乗場の乗場スピーカー１３から当該乗り換え案内情報が出力される。
【００８３】
その後、乗り換え用エレベータの第４エレベータ３−４において、通常のサービスが開始される（Ｓ３３）。
【００８４】
以上の本実施形態によれば、保守管理対象を実行するエレベータの利用者を、他の乗り換え用エレベータの乗りかごに乗り換えさせる際に、確実にすべての利用者が乗ることが可能な乗りかごを乗り換え用として割り当てることにより、効率良く誘導することができる。
【００８５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８６】
１Ａ、１Ｂ、１Ｃ…エレベータシステム
２…群管理制御装置
３−１〜３−６…エレベータ
１１…一般乗場呼び釦
１２…専用乗場呼び釦
１３…乗場スピーカー
１４…乗場表示装置
１５−１〜１５−６…呼び戻し釦
２１…第１入力部
２２…第１制御部
２３…第１記憶部
２４…第１通信部
３１−１〜３１−６…かご内スピーカー
３２−１〜３２−６…かご内表示装置
３３−１〜３３−６…かご内行き先登録釦
３４−１〜３４−６…荷重計測装置
３５−１〜３５−６…エレベータ制御装置
３５１−１〜３５１−６…第２通信部
３５２−１〜３５２−６…第２入力部
３５３−１〜３５３−６…第２記憶部
３５４−１〜３５４−６…第２制御部
３５５−１〜３５５−６…第３通信部
【図１】
0005579238.tif 000002
【図２】
0005579238.tif 000003
【図３】
0005579238.tif 000004
【図４】
0005579238.tif 000005
【図５】
0005579238.tif 000006
【図６】
0005579238.tif 000007
【図７】
0005579238.tif 000008
【図８】
0005579238.tif 000009
【図９】
0005579238.tif 000010